(57)【要約】【課題】  吊下した袋体から穀粒を周囲に零すことなく乾燥機内部に確実に流入せしめることができる穀粒乾燥機における張り込み補助器具を提供すること。【解決手段】  ビーム部11ａとハンドル部11ｂとから成る側面Ｌ字状の一対の屈曲フレーム11・11が対向的に並行連結して本体部１が構成され、この本体部１におけるビーム部11ａ・11ａには、スライド式に伸縮自在な支持バー２・２が立設されており、これら支持バー２・２および前記ハンドル部11ａ・11ａの上端にはヒンジ部材３がそれぞれ配設され、これらヒンジ部材３・３…が板体４の裏面に俯仰自在に支持して構成されており、当該板体４の下縁側を乾燥機Ａの側面開口部のホッパーｈの上面に載置して、袋体Ｂから流出して前記板体４上に滑落する穀粒Ｃを、この板体４の上面に固定されたガイドバー41によって流動規制して前記穀粒乾燥機Ａのホッパーｈに誘導可能にする。【選択図】  図１
2006112726.tif 000002
【特許請求の範囲】
【請求項１】
吊下された袋体Ｂに充填された穀粒Ｃを穀粒乾燥機Ａの内部に確実に流入せしめるための補助器具であって、
ビーム部11ａとハンドル部11ｂとから成る側面Ｌ字状の一対の屈曲フレーム11・11が対向的に並行連結して本体部１が構成され、この本体部１におけるビーム部11ａ・11ａには、スライド式に伸縮自在な支持バー２・２が立設されており、これら支持バー２・２および前記ハンドル部11ａ・11ａの上端にはヒンジ部材３がそれぞれ配設され、これらヒンジ部材３・３…が板体４の裏面に俯仰自在に支持して構成されており、
当該板体４の下縁側を乾燥機Ａの側面開口部のホッパーｈの上面に載置して、袋体Ｂから流出して前記板体４上に滑落する穀粒Ｃを、この板体４の上面に固定されたガイドバー41によって流動規制して前記穀粒乾燥機Ａのホッパーｈに誘導可能であることを特徴とする穀粒乾燥機における張り込み補助器具。
【請求項２】
板体４の上面に配設した一対のガイドバー41・41が略ハの字型に並列固定されていることを特徴とする請求項１記載の穀粒乾燥機における張り込み補助器具。
【請求項３】
本体部１の屈曲フレーム11におけるビーム部11ａの裏底面にキャスター５が設置されて移動自在にしたことを特徴とする請求項１または２記載の穀粒乾燥機における張り込み補助器具。
【請求項４】
本体部１の屈曲フレーム11におけるハンドル部11ｂが伸縮自在に構成されていることを特徴とする請求項１〜３の何れか一つに記載の穀粒乾燥機における張り込み補助器具。
【発明の詳細な説明】
【技術分野】
【０００１】
本発明は、穀粒の乾燥作業の効率化技術に関するものであり、更に詳しくは、穀粒乾燥機に収穫した穀粒を入れる作業、所謂、張り込み作業において、吊下した袋体から穀粒を周囲に零すことなく乾燥機内部に確実に流入せしめることができる穀粒乾燥機における張り込み補助器具に関するものである。
【背景技術】
【０００２】
従来、収穫した穀粒を乾燥機の内部に入れる張り込み作業は、手作業で行われていたため、非常に重労働であった（例えば、特許文献１参照）。
【０００３】
そこで、近年では、かかる張り込み作業を迅速に行うために、短時間で大量の穀粒を流し込むことができるように、穀粒を充填した袋体（フレキシブルコンテナ）をクレーンなどで吊るして、その自重を利用して乾燥機の側面に配設されたホッパーから流入させており、かかる張り込み作業にあっては、袋体を乾燥機のホッパー側に手繰り寄せて行っていた。
【０００４】
しかしながら、この袋体は非常に大型で重量であるため、この手繰り寄せ作業は非常に重労働かつ危険性を伴うし、誤って袋体を降下させてしまうと、ホッパーを破損してしまうおそれがある。また、袋体の下口から流出する穀粒が零れたり、周囲に飛散するおそれがある。
【特許文献１】特開２００１−２８９５６２号公報  （第２−３頁、図３−５）
【発明の開示】
【発明が解決しようとする課題】
【０００５】
本発明は、従来の穀粒処理作業に、上記のような問題があったことに鑑みて為されたものであり、その目的とするところは、穀粒乾燥機に収穫した穀粒を入れる作業、所謂、張り込み作業において、吊下した袋体から穀粒を周囲に零すことなく乾燥機内部に確実に流入せしめることができる穀粒乾燥機における張り込み補助器具を提供することにある。
【課題を解決するための手段】
【０００６】
本発明者が上記課題を解決するために採用した手段を添付図面を参照して説明すれば次のとおりである。
【０００７】
即ち、本発明は、吊下された袋体Ｂに充填された穀粒Ｃを穀粒乾燥機Ａの内部に確実に流入せしめるための補助器具であって、
ビーム部11ａとハンドル部11ｂとから成る側面Ｌ字状の一対の屈曲フレーム11・11が対向的に並行連結して本体部１が構成され、この本体部１におけるビーム部11ａ・11ａには、スライド式に伸縮自在な支持バー２・２が立設されており、これら支持バー２・２および前記ハンドル部11ａ・11ａの上端にはヒンジ部材３がそれぞれ配設され、これらヒンジ部材３・３…が板体４の裏面に俯仰自在に支持して構成されており、
当該板体４の下縁側を乾燥機Ａの側面開口部のホッパーｈの上面に載置して、袋体Ｂから流出して前記板体４上に滑落する穀粒Ｃを、この板体４の上面に固定されたガイドバー41によって流動規制して前記穀粒乾燥機Ａのホッパーｈに誘導可能にするという技術的手段を採用した。
【０００８】
また、本発明は、上記課題を解決するために、必要に応じて上記手段に加え、板体４の上面に配設した一対のガイドバー41・41を略ハの字型に並列固定するという技術的手段を採用した。
【０００９】
更にまた、本発明は、上記課題を解決するために、必要に応じて上記手段に加え、本体部１の屈曲フレーム11におけるビーム部11ａの裏底面にキャスター５を設置して移動自在にするという技術的手段を採用した。
【００１０】
更にまた、本発明は、上記課題を解決するために、必要に応じて上記手段に加え、本体部１の屈曲フレーム11におけるハンドル部11ｂを伸縮自在に構成するという技術的手段を採用した。
【発明の効果】
【００１１】
本発明の補助器具にあっては、ビーム部とハンドル部とから成る側面Ｌ字状の一対の屈曲フレームを対向的に並行連結して本体部を構成し、この本体部におけるビーム部には、スライド式に伸縮自在な支持バーを立設して、これら支持バーおよび前記ハンドル部の上端にはヒンジ部材がそれぞれ配設され、これらヒンジ部材を板体の裏面に俯仰自在に支持して構成したことにより、当該板体の下縁側を乾燥機の側面開口部のホッパーの上面に載置して、袋体から流出して前記板体上に滑落する穀粒を、この板体の上面に固定されたガイドバーによって流動規制して前記穀粒乾燥機のホッパーに誘導することができる。
【００１２】
したがって、張り込み作業において、吊下した袋体から穀粒を周囲に零すことなく乾燥機内部に確実に流入せしめることができる。また、本補助器具を使用することにより、袋体は本補助器具の上部に配置され、ホッパー上部には配置されないので、クレーン操作などを誤って袋体を降下したとしても、ホッパーを破損することが無いことから、穀粒の乾燥作業効率を向上せしめ、産業上における利用価値は頗る高いと云える。
【発明を実施するための最良の形態】
【００１３】
本発明の実施形態を具体的に図示した図面に基いて更に詳細に説明すると次のとおりである。
【００１４】
本発明の実施形態を図１から図４に基いて説明する。図中、符号１で指示するものは本体部１であり、この本体部１は、ビーム部11ａとハンドル部11ｂとから成る側面Ｌ字状の一対の屈曲フレーム11・11が対向的に並行連結して構成されている。
【００１５】
また、符号２で指示するものは支持バーであり、この支持バー２は、前記本体部１におけるビーム部11ａ・11ａに、スライド式に伸縮自在に立設されている。
【００１６】
更にまた、符号３で指示するものはヒンジ部材であり、このヒンジ部材３は、公知の蝶番金具を用いる。そして、符号４で指示するものは板体であり、この板体４は、本実施形態では、木製の方形平板であって、上面にはガイドバー41が固定されており、このガイドバー41は下縁を除く板体周縁に沿ってコの字型に直棒部材が固定されている。
【００１７】
しかして、本実施形態は、クレーンなどで吊下された袋体Ｂに充填された穀粒Ｃを穀粒乾燥機Ａの内部に確実に流入せしめるための補助器具であって、構成するにあっては、まず、ビーム部11ａとハンドル部11ｂとから成る側面Ｌ字状の一対の屈曲フレーム11・11が対向的に並行連結して本体部１を構成する。
【００１８】
本実施形態では、本体部１の屈曲フレーム11におけるハンドル部11ｂを伸縮自在に構成することができ、高さを自在に調節することにより、乾燥機Ａによって異なるホッパーｈの種々の位置や大きさに適合させることができ、高い汎用性を得ることができる。
【００１９】
次に、前記本体部１におけるビーム部11ａ・11ａには、スライド式に遊挿した伸縮自在な支持バー２・２を立設し、本実施形態では、棒材を遊挿連結して構成する。
【００２０】
そして、これら支持バー２・２および前記ハンドル部11ａ・11ａの上端にはヒンジ部材３をそれぞれ配設し、これらヒンジ部材３・３…を板体４の裏面に俯仰自在に支持する（図１参照）。
【００２１】
この際、本実施形態では、適宜、本体部１の屈曲フレーム11におけるビーム部11ａの裏底面に公知のキャスター５を設置して移動自在にすることができ、セットする際の使い勝手を良くすることができる。
【００２２】
そして、図２に示すように、板体４の下縁側を支持バー２を伸長させることによって持ち上げるとともに、本体をホッパーｈ側に前進させる。
【００２３】
然る後、図３に示すように、当該板体４の下縁側を乾燥機Ａの側面開口部のホッパーｈの上面に載置して、袋体Ｂの下口を開放して穀粒Ｃを流出させると、前記板体４上に滑落する穀粒Ｃを、この板体４の上面に固定されたガイドバー41によって流動規制して前記穀粒乾燥機Ａのホッパーｈに確実に誘導することができる。
【００２４】
なお、本実施形態では、図４に示すように、板体４の上面に配設した一対のガイドバー41・41を略ハの字型に並列固定することができ、乾燥機Ａの開口部が小さい場合であっても、ホッパーｈに前記板体４を載置することにより、ガイドバー41・41が穀粒Ｃを開口部に集めて確実に流し込むことができる。
【００２５】
本発明は、概ね上記のように構成されるが、本発明は図示の実施形態に限定されるものでは決してなく、「特許請求の範囲」の記載内において種々の変更が可能であって、例えば、板体４の形状は平板に限らず、溝が形成されたものや曲面を有するものであっても良いし、また、ガイドバー41の形状や配設位置なども、曲線のものなどに適宜変更することができ、何れのものも本発明の技術的範囲に属する。
【図面の簡単な説明】
【００２６】
【図１】本発明の実施形態の補助器具を表わす全体斜視図である。
【図２】本発明の実施形態の補助器具の使用状態を表わす説明側面図である。
【図３】本発明の実施形態の補助器具の使用状態を表わす説明側面図である。
【図４】本発明の実施形態の補助器具の変形例を表わす全体斜視図である。
【符号の説明】
【００２７】
１    本体部
11    屈曲フレーム
11ａ  ビーム部
11ｂ  ハンドル部
２    支持バー
３    ヒンジ部材
４    板体
41    ガイドバー
５    キャスター
Ａ    穀粒乾燥機
ｈ    ホッパー
Ｂ    袋体
Ｃ    穀粒
【図１】
2006112726.tif 000003
【図２】
2006112726.tif 000004
【図３】
2006112726.tif 000005
【図４】
2006112726.tif 000006